【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
物体側から順に、正屈折力を有する第１レンズ群、負屈折力を有する第２レンズ群、正屈折力を有する第３レンズ群、正屈折力を有する第４レンズ群とを備え、前記第２レンズ群と前記第３レンズ群とを光軸に沿って移動させて変倍を行う所謂４群アフォーカルズームレンズにおいて、
前記第１レンズ群は、物体側より順に、正屈折力を有する第１レンズ群前群、負屈折力を有する第１レンズ群中群、正屈折力を有する第１レンズ群後群より構成し、
前記第４レンズ群には、屈折力を持ったレンズ部分が３つあり、前記屈折力を持った３つのレンズ部分は、物体側より順に、正屈折力を有する第４レンズ群前群、負屈折力を有する第４レンズ群中群、正屈折力を有する第４レンズ群後群であり、
前記第1レンズ群前群は、正屈折力のレンズ２個と負屈折力のレンズ１個を含み、
前記第1レンズ群中群は、正屈折力のレンズ１個と負屈折力のレンズ１個を含み、
前記第1レンズ群後群は、正屈折力のレンズ１個を含み、
前記第1レンズ群中群を光軸方向に移動させて近距離合焦する構成とし、
前記第４レンズ群前群は、正屈折力のレンズ１個と負屈折力のレンズ１個を含み、
前記第４レンズ群中群は、正屈折力のレンズ１個と負屈折力のレンズ２個を含み、
前記第４レンズ群後群は、正屈折力のレンズ１個と負屈折力のレンズ１個を含み、
前記第４レンズ群中群を光軸と垂直に偏心させて結像位置を変位する構成とし、
前記第１レンズ群の最大有効径をΦ１、前記第１レンズ群前群の焦点距離をＦ１ｆ、前記第１レンズ群中群の焦点距離をＦ１ｍ、前記第１ンズ群後群と前記第２レンズ群と前記第３レンズ群と前記第４レンズ群の望遠端状態での合成焦点距離をＦ１ｒ２３４ｔとする場合、
以下の条件を満足する事を特徴とする大口径比内焦式望遠ズームレンズ。
２．５＜｜（Ｆ１ｆ×Ｆ１ｒ２３４ｔ）／（Ｆ１ｍ×Φ１）｜＜５．０
【請求項２】
前記第４レンズ群の焦点距離をＦ４、前記第１レンズ群前群の焦点距離をＦ１ｆ、前記第１レンズ群中群と前記第１ンズ群後群と前記第２レンズ群と前記第３レンズ群の望遠端状態での合成焦点距離をＦ１ｍｒ２３ｔ、前記第１レンズ群の焦点距離をＦ１、前記第２レンズ群と前記第３レンズ群の望遠端状態での合成焦点距離をＦ２３ｔ、前記第１レンズ群後群の焦点距離をＦ１ｒ、前記第４レンズ群前群の焦点距離をＦ４ｆ、前記第４レンズ群中群の焦点距離をＦ４ｍ、前記第４レンズ群後群の焦点距離をＦ４ｒとする場合、
以下の条件を満足する事を特徴とする請求項１に記載の大口径比内焦式望遠ズームレンズ。
２．５＜｜（Ｆ１ｆ×Ｆ４）／（Ｆ１ｍｒ２３ｔ×Φ１）｜＜５．０
２．５＜｜（Ｆ１×Ｆ４）／（Ｆ２３ｔ×Φ１）｜＜５．０
２．５＜｜（Ｆ１ｆ×Ｆ１ｒ×Ｆ４）／（Ｆ１ｍ×Ｆ２３ｔ×Φ１）｜＜５．０
０．７＜｜（Ｆ４×Ｆ４ｍ）／（Ｆ４ｆ×Ｆ４ｒ）｜＜１．３
【請求項３】
全光学系の望遠端状態での焦点距離をＦｔ、前記第１レンズ群後群の最大有効径をΦ１ｒ、前記第４レンズ群前群の最大有効径をΦ４ｆ、前記第４レンズ群中群の最大有効径をΦ４ｍとする場合、
以下の条件を満足する事を特徴とする、請求項１または２に記載の大口径比内焦式望遠ズームレンズ。
0.025＜｜（Ｆｔ×Φ４ｆ）／（Ｆ４×Φ１×Φ４ｍ）｜＜0.045
0.025＜｜（Ｆ１×Φ４ｆ）／（Ｆ２３ｔ×Φ１×Φ４ｍ）｜＜0.045
0.020＜｜（Ｆ１ｆ×Φ１ｒ）／（Ｆ１ｍ×Φ１×Φ４ｍ）｜＜0.070
0.025＜｜（Ｆ１ｒ×Φ４ｆ）／（Ｆ２３ｔ×Φ１ｒ×Φ４ｍ）｜＜0.045
但し、各条件の単位は、「１／ｍｍ」である。
【請求項４】
前記第１レンズ群後群のｄ線における平均屈折率をＮｄ１ｒとする場合、
以下の条件を満足する事を特徴とする、請求項１または２または３に記載の大口径比内焦式望遠ズームレンズ。
０．００３１＜１／（Ｎｄ1ｒ×Ｆ１ｒ）＜０．００３９
但し、条件の単位は、「１／ｍｍ」である。
【請求項５】
前記第１レンズ群前群の最も物体側のレンズは物体側に凸面形状のメニスカス負レンズであり、焦点距離をＦＬ１１、ｄ線における屈折率をＮｄＬ１１とする場合、
以下の条件を満足する事を特徴とする、請求項１から４のいずれか１項に記載の大口径比内焦式望遠ズームレンズ。
−０．００６０＜１／（ＮｄＬ１１×ＦＬ１１）＜−０．０００５０
但し、条件の単位は、「１／ｍｍ」である。
【請求項６】
前記第４レンズ群前群は、正屈折力のレンズ２個と負屈折力のレンズ１個より成り、前記第４レンズ群後群は、正屈折力のレンズ２個と負屈折力のレンズ１個より成る事を特徴とする、請求項１から５のいずれか１項に記載の大口径比内焦式望遠ズームレンズ。
【請求項７】
前記第４レンズ群前群と前記第４レンズ群中群との間に視野絞りを有することを特徴とする請求項１から６のいずれか１項に記載の大口径比内焦式望遠ズームレンズ。
【請求項８】
前記第１レンズ群、前記第２レンズ群、前記第３レンズ群、および前記第４レンズ群の各レンズ面は、球面のみで構成されていることを特徴とする請求項１から７のいすれか１項に記載の大口径比内焦式ズームレンズ。
【手続補正２】
【補正対象書類名】明細書
【補正対象項目名】０００５
【補正方法】変更
【補正の内容】
【０００５】
前記課題を解決する為に、本発明は、物体側から順に、正屈折力を有する第１レンズ群、負屈折力を有する第２レンズ群、正屈折力を有する第３レンズ群、正屈折力を有する第４レンズ群とを備え、前記第２レンズ群と前記第３レンズ群とを光軸に沿って移動させて変倍を行う所謂４群アフォーカルズームレンズにおいて、前記第１レンズ群は、物体側より順に、正屈折力を有する第１レンズ群前群、負屈折力を有する第１レンズ群中群、正屈折力を有する第１レンズ群後群より構成し、前記第４レンズ群には、屈折力を持ったレンズ部分が３つあり、前記屈折力を持った３つのレンズ部分は、物体側より順に、正屈折力を有する第４レンズ群前群、負屈折力を有する第４レンズ群中群、正屈折力を有する第４レンズ群後群であり、前記第1レンズ群前群は、正屈折力のレンズ２個と負屈折力のレンズ１個を含み、前記第1レンズ群中群は、正屈折力のレンズ１個と負屈折力のレンズ１個を含み、前記第1レンズ群後群は、正屈折力のレンズ１個を含み、前記第1レンズ群中群を光軸方向に移動させて近距離合焦する構成とし、前記第４レンズ群前群は、正屈折力のレンズ１個と負屈折力のレンズ１個を含み、前記第４レンズ群中群は、正屈折力のレンズ１個と負屈折力のレンズ２個を含み、前記第４レンズ群後群は、正屈折力のレンズ１個と負屈折力のレンズ１個を含み、前記第４レンズ群中群を光軸と垂直に偏心させて結像位置を変位する構成とし、前記第１レンズ群の最大有効径をΦ１、前記第１レンズ群前群の焦点距離をＦ１ｆ、前記第１レンズ群中群の焦点距離をＦ１ｍ、前記第１ンズ群後群と前記第２レンズ群と前記第３レンズ群と前記第４レンズ群の望遠端状態での合成焦点距離をＦ１ｒ２３４ｔとする場合、以下の条件を満足する事を特徴とする大口径比内焦式望遠ズームレンズを提供する。
２．５＜｜（Ｆ１ｆ×Ｆ１ｒ２３４ｔ）／（Ｆ１ｍ×Φ１）｜＜５．０
また、本発明にかかる大口径比内焦式望遠ズームレンズは、前記第４レンズ群の焦点距離をＦ４、前記第１レンズ群前群の焦点距離をＦ１ｆ、前記第１レンズ群中群と前記第１ンズ群後群と前記第２レンズ群と前記第３レンズ群の望遠端状態での合成焦点距離をＦ１ｍｒ２３ｔ、前記第１レンズ群の焦点距離をＦ１、前記第２レンズ群と前記第３レンズ群の望遠端状態での合成焦点距離をＦ２３ｔ、前記第１レンズ群後群の焦点距離をＦ１ｒ、前記第４レンズ群前群の焦点距離をＦ４ｆ、前記第４レンズ群中群の焦点距離をＦ４ｍ、前記第４レンズ群後群の焦点距離をＦ４ｒとする場合、以下の条件を満足する事が好ましい。
２．５＜｜（Ｆ１ｆ×Ｆ４）／（Ｆ１ｍｒ２３ｔ×Φ１）｜＜５．０
２．５＜｜（Ｆ１×Ｆ４）／（Ｆ２３ｔ×Φ１）｜＜５．０
２．５＜｜（Ｆ１ｆ×Ｆ１ｒ×Ｆ４）／（Ｆ１ｍ×Ｆ２３ｔ×Φ１）｜＜５．０
０．７＜｜（Ｆ４×Ｆ４ｍ）／（Ｆ４ｆ×Ｆ４ｒ）｜＜１．３
また、本発明にかかる大口径比内焦式望遠ズームレンズは、全光学系の望遠端状態での焦点距離をＦｔ、前記第１レンズ群後群の最大有効径をΦ１ｒ、前記第４レンズ群前群の最大有効径をΦ４ｆ、前記第４レンズ群中群の最大有効径をΦ４ｍとする場合、以下の条件を満足する事が好ましい。
0.025＜｜（Ｆｔ×Φ４ｆ）／（Ｆ４×Φ１×Φ４ｍ）｜＜0.045
0.025＜｜（Ｆ１×Φ４ｆ）／（Ｆ２３ｔ×Φ１×Φ４ｍ）｜＜0.045
0.020＜｜（Ｆ１ｆ×Φ１ｒ）／（Ｆ１ｍ×Φ１×Φ４ｍ）｜＜0.070
0.025＜｜（Ｆ１ｒ×Φ４ｆ）／（Ｆ２３ｔ×Φ１ｒ×Φ４ｍ）｜＜0.045
但し、各条件の単位は、「１／ｍｍ」である。
また、本発明にかかる大口径比内焦式望遠ズームレンズは、  前記第１レンズ群後群のｄ線における平均屈折率をＮｄ１ｒとする場合、以下の条件を満足する事が好ましい。
０．００３１＜１／（Ｎｄ1ｒ×Ｆ１ｒ）＜０．００３９
但し、条件の単位は、「１／ｍｍ」である。
また、本発明にかかる大口径比内焦式望遠ズームレンズは、前記第１レンズ群前群の最も物体側のレンズは物体側に凸面形状のメニスカス負レンズであり、焦点距離をＦＬ１１、ｄ線における屈折率をＮｄＬ１１とする場合、以下の条件を満足する事が好ましい。
−０．００６０＜１／（ＮｄＬ１１×ＦＬ１１）＜−０．０００５０
但し、条件の単位は、「１／ｍｍ」である。
また、本発明にかかる大口径比内焦式望遠ズームレンズは、前記第４レンズ群前群は、正屈折力のレンズ２個と負屈折力のレンズ１個より成り、前記第４レンズ群後群は、正屈折力のレンズ２個と負屈折力のレンズ１個より成る事が好ましい。
【手続補正３】
【補正対象書類名】明細書
【補正対象項目名】０００６
【補正方法】変更
【補正の内容】
【０００６】
また、本発明にかかる大口径比内焦式望遠ズームレンズは、前記第４レンズ群前群と前記第４レンズ群中群との間に視野絞りを有することが好ましい。
また、本発明にかかる大口径比内焦式望遠ズームレンズでは、前記第１レンズ群、前記第２レンズ群、前記第３レンズ群、および前記第４レンズ群の各レンズ面は、球面のみで構成されていることが好ましい。
【手続補正４】
【補正対象書類名】明細書
【補正対象項目名】００２２
【補正方法】変更
【補正の内容】
【００２２】
更に、手にかかる部分の光学系の有効径を可能な限り細くする為には、全光学系の望遠端状態での焦点距離をＦｔ、第１レンズ群後群Ｇ１ｒの最大有効径をΦ１ｒ、第４レンズ群前群Ｇ４ｆの最大有効径をΦ４f、第４レンズ群中群Ｇ４ｍの最大有効径をΦ４ｍとする場合、以下の条件式（６）から（９）を満足する事が望ましい。
（６）  0.025＜｜（Ｆｔ×Φ４ｆ）／（Ｆ４×Φ１×Φ４ｍ）｜＜0.045
（７）  0.025＜｜（Ｆ１×Φ４ｆ）／（Ｆ２３ｔ×Φ１×Φ４ｍ）｜＜0.045
（８）  0.020＜｜（Ｆ１ｆ×Φ１ｒ）／（Ｆ１ｍ×Φ１×Φ４ｍ）｜＜0.070
（９）  0.025＜｜（Ｆ１ｒ×Φ４ｆ）／（Ｆ２３ｔ×Φ１ｒ×Φ４ｍ）｜＜0.045
但し、各条件式の単位は、「１／ｍｍ」である。
条件式（６）の上限値を上回ると、防振補正時の球面収差が悪化し好ましくない。条件式（６）の下限値を下回ると、光学系全長が長くなり好ましくない。ここで、上限値を０．０４０とすれば、防振補正時の球面収差が更に良好となり好ましい。下限値を０．０２７とすれば、全長が更に短くなり好ましい。
【手続補正５】
【補正対象書類名】明細書
【補正対象項目名】００２６
【補正方法】変更
【補正の内容】
【００２６】
第１レンズ群後群Ｇ１ｒを少ない構成とするには、第１レンズ群後群Ｇ１ｒのｄ線における平均屈折率をＮｄ１ｒとする場合、以下の条件式（１０）を満足する事が望ましい。
（１０）  ０．００２５＜１／（Ｎｄ１ｒ×Ｆ１ｒ）＜０．００３９
但し、条件式の単位は、「１／ｍｍ」である。
条件式（１０）の上限値を上回ると、少ない構成枚数のままでは、望遠端の球面収差が負に大きくなり好ましくない。条件式（１０）の下限値を下回ると、光学系全長が長くなり好ましくない。ここで、上限値を０．００３８とすれば少ない構成枚数のままでも望遠端の球面収差が良好になり好ましい。下限値を０．００３１とすれば、全長が比較的短くなり好ましい。
【手続補正６】
【補正対象書類名】明細書
【補正対象項目名】００２７
【補正方法】変更
【補正の内容】
【００２７】
携帯性を良好にする為に、第１レンズ群前群Ｇ１ｆの最も物体側のレンズＬ１１は物体側に凸面形状のメニスカス負レンズであり、焦点距離をＦＬ１１、ｄ線における屈折率をＮｄＬ１１とする場合、以下の条件式（１１）を満足する事が望ましい。
（１１）  −０．００６０＜１／（ＮｄＬ１１×ＦＬ１１）＜−０．０００５０
但し、条件式の単位は、「１／ｍｍ」である。
良好なる携帯性を図るには、光学系の軽量化を図る事も重要である。その為には最も物体側のレンズＬ１１を耐候性の良い硝子にすれば、所謂超望遠レンズにありがちな重量の重い保護硝子が必要なくなる。しかしながら、一般的にはＦＮＯが４程度より小さい光学系では、全長が大きくなり不適であったが、条件式（１１）を満たせば結像性能と光学系全長のバランスがとれる。
【手続補正７】
【補正対象書類名】明細書
【補正対象項目名】００５４
【補正方法】変更
【補正の内容】
【００５４】
[表４]
（条件式対応値）
第１実施例  第２実施例  第３実施例
(1) ｜(F1f×F1r234t)/(F1m×Φ1)｜            3.491      4.618       3.127
(2) ｜(F1f×F4)/(F1mr23t×Φ1)｜             3.853      4.050       3.112
(3) ｜(F1×F4)/(F23t×Φ1)｜                 3.844      4.035       3.117
(4) ｜(F1f×F1r×F4)/(F1m×F23t×Φ1)｜      3.844      3.745       3.005
(5) ｜(F4×F4m)/(F4f×F4r)｜                 1.066      1.120       1.036
(6) ｜(Ft×Φ4f)/(F4×Φ1×Φ4m)｜           0.031      0.029       0.028
(7) ｜(F1×Φ4f)/(F23t×Φ1×Φ4m)｜         0.031      0.029       0.028
(8) ｜(F1f×Φ1r)/(F1m×Φ1×Φ4m)｜         0.033      0.027       0.063
(9) ｜(F1r×Φ4f)/(F23t×Φ1r×Φ4m)｜       0.032      0.029       0.030
(10) １／（Ｎｄ1r×Ｆ１ｒ）                  0.0033     0.0037      0.0032
(11) １／（ＮｄL11×ＦＬ１１）              -0.0023    -0.0028     -0.0017
但し、条件式（６）〜（１１）の各対応値の単位は、「１／ｍｍ」である。